(57)【要約】【課題】指向性を任意に可変設定できる指向性可変アンテナを提供する。【解決手段】絶縁部材を用いて形成した基台１１の上部中央に支持筒１２を介して下部アンテナ２０を装着し、この下部アンテナ２０の上部中央に上部アンテナ４０を約３６０°回転可能に装着する。下部アンテナ２０は、例えば合成樹脂を用いて略円筒状に構成した下部アンテナカバー２１内に下部アンテナ本体を備える。上部アンテナ４０は、略円筒状に構成した上部アンテナカバー４１内に上部アンテナ本体を備える。下部アンテナ２０に対して上部アンテナ４０を回転可能に設けることで合成指向性を任意に可変設定することが可能となる。そして、下部アンテナ２０及び上部アンテナ４０のアンテナ本体により受信された信号を基台１１内に設けた混合器により混合した後、給電ケーブル１３及び出力用接栓１４を介して外部に導出する。【選択図】    図１
2010057035.tif 000002
【特許請求の範囲】
【請求項１】
下部アンテナカバー及び該下部アンテナカバー内に収納される単一指向性の下部アンテナ本体からなる下部アンテナと、
前記下部アンテナの上部に設けられる上部アンテナカバー及び該上部アンテナカバー内に収納される単一指向性の上部アンテナ本体からなる上部アンテナと、
前記下部アンテナに対して前記上部アンテナを回転可能に結合する結合軸と、
前記下部アンテナに対する前記上部アンテナの回転範囲を規制する規制手段と、
前記下部アンテナ本体及び上部アンテナ本体の給電点に給電する給電手段とを具備し、
前記下部アンテナに対する前記上部アンテナの回転位置により前記上部アンテナと下部アンテナとの合成指向性を可変設定することを特徴とする指向性可変アンテナ。
【発明の詳細な説明】
【技術分野】
【０００１】
本発明は、例えば地上放送波の受信や通信に使用される指向性可変アンテナに関する。
【背景技術】
【０００２】
地上デジタル（テレビジョン）放送（ＩＳＤＢ−Ｔ：Integrated Services Digital Broadcasting-Terrestrial）は、ＵＨＦ帯の電波が使用され、その周波数帯域は４７０〜７７０ＭＨｚ（１３〜６２チャンネル）が使用されている。
【０００３】
また、地上デジタル放送は、所定の地域内に放送局の放送塔が複数ある場合があり、その受信エリアによっては放送塔の数だけ受信アンテナを設置する必要がある。
【０００４】
ＵＨＦ帯の放送波を受信するアンテナとしては、一般的に八木式アンテナが用いられているが、八木式アンテナは単一指向性であるので、放送塔が複数ある場合、受信点から見て同一方向にある場合のみ１つのアンテナを設置するだけでよいが、それ以外では複数のアンテナを設置する必要がある。例えば図８に示すように、受信点から見て異なる方向に２つの放送塔１ａ、１ｂがある場合は、各放送塔１ａ、１ｂに対応させてアンテナ２ａ、２ｂを設置する必要がある。
【０００５】
また、アンテナの数が増加すると、アンテナを設置する手間が多く掛かると共に設置費用が高くなり、且つ設置場所の面でも問題となる。
【０００６】
また、従来では、地上放送波受信用アンテナとして無指向性のアンテナが考えられている（例えば、特許文献１参照。）。無指向性のアンテナを使用することにより、複数の放送塔が受信点から見て異なる方向にある場合でも、各放送塔からの電波を１つのアンテナで受信することができるが、放送塔の方向とは異なる方向で不要な電波が発生した場合であっても、その不要な電波を受信して信号品質が低下する可能性がある。
【特許文献１】特開２００７−８９０２４号公報
【発明の開示】
【発明が解決しようとする課題】
【０００７】
上記のように地上放送波を受信する場合において、複数の放送塔が受信点から見て異なる方向にある場合、単一指向性のアンテナを用いて受信しようとすると、各放送塔に対応して複数のアンテナを設置する必要がある。このためアンテナを設置する手間が多く掛かると共に設置費用が高くなり、更には設置場所についても問題となる。
【０００８】
また、複数の放送塔からの電波を無指向性アンテナで受信しようとすると、放送塔の方向とは異なる方向で不要な電波が発生した場合でも、その不要な電波を受信して信号品質が低下する可能性がある。
【０００９】
本発明は上記の課題を解決するためになされたもので、複数の放送塔が受信点から見て異なる方向にある場合でも、指向性を任意に可変設定して１つのアンテナで放送波を受信でき、このため狭い場所であってもアンテナの設置が容易で設置費用を安価にでき、且つ不要な電波の受信を少なくして信号品質を向上し得る指向性可変アンテナを提供することを目的とする。
【課題を解決するための手段】
【００１０】
本発明に係る指向性可変アンテナは、下部アンテナカバー及び該下部アンテナカバー内に収納される単一指向性の下部アンテナ本体からなる下部アンテナと、前記下部アンテナの上部に設けられる上部アンテナカバー及び該上部アンテナカバー内に収納される単一指向性の上部アンテナ本体からなる上部アンテナと、前記下部アンテナに対して前記上部アンテナを回転可能に結合する結合軸と、前記下部アンテナに対する前記上部アンテナの回転範囲を規制する規制手段と、前記下部アンテナ本体及び上部アンテナ本体の給電点に給電する給電手段とを具備し、前記下部アンテナに対する前記上部アンテナの回転位置により前記上部アンテナと下部アンテナとの合成指向性を可変設定することを特徴とする。
【発明の効果】
【００１１】
本発明によれば、下部アンテナと上部アンテナとの相対位置を調整することにより合成指向性を簡単に可変設定でき、複数方向から放送波が到来する場合であっても１つのアンテナで同時に受信することができる。従って、複数のアンテナを設置する必要が無く、アンテナ設置が容易で設置費用を安価にすることができる。
【００１２】
また、放送波の方向が１方向であれば、下部アンテナと上部アンテナを同じ方向に設定することにより、高利得アンテナとして利用することができ、他の方向からの不要な電波の受信を少なくして信号品質を向上することができる。
【発明を実施するための最良の形態】
【００１３】
以下、図面を参照して本発明の一実施形態を説明する。
【００１４】
図１は本発明に係る指向性可変アンテナを室内アンテナに実施した場合の外観構成を示したもので、（ａ）は正面図、（ｂ）は側面図、（ｃ）は上面図である。図２は同実施形態に係る指向性可変アンテナを前面側の斜め上方から見た分解斜視図、図３は同指向性可変アンテナを背面側の斜め下方から見た分解斜視図である。
【００１５】
図１において、１１は絶縁部材例えば合成樹脂を用いて円状に形成した基台で、この基台１１の上部中央に支持筒１２が設けられ、この支持筒１２に下部アンテナ２０が装着される。更に、この下部アンテナ２０の上部中央に上部アンテナ４０が回転可能に装着される。この場合、上部アンテナ４０は、下部アンテナ２０に対して約３６０°（約１回転）回転可能に設けられる。
【００１６】
上記下部アンテナ２０は、例えば合成樹脂を用いて略円筒状に構成された下部アンテナカバー２１を備え、この下部アンテナカバー２１内に詳細を後述する単一指向性の下部アンテナ本体が設けられる。下部アンテナカバー２１は、半円筒状の前面カバー２１ａ及び背面カバー２１ｂからなり、円筒状に合わせた状態でネジ止めされ、基台１１上の支持筒１２に装着される。
【００１７】
また、上部アンテナ４０は、略円筒状に構成された上部アンテナカバー４１を備え、この上部アンテナカバー４１内に詳細を後述する単一指向性の上部アンテナ本体が設けられる。上部アンテナカバー４１は、半円筒状の前面カバー４１ａ及び背面カバー４１ｂからなり、円筒状に合わせた状態でネジ止めされ、下部アンテナ２０の上部に回転可能に装着される。
【００１８】
そして、上記下部アンテナ２０及び上部アンテナ４０のアンテナ本体により受信された信号は、基台１１内に設けられた混合器により混合された後、基台１１の背面側から給電ケーブル１３を介して外部に導出される。上記給電ケーブル１３は、先端に出力用接栓１４を備えている。
【００１９】
次に、上記下部アンテナ２０及び上部アンテナ４０の詳細について図２及び図３を参照して説明する。
【００２０】
下部アンテナ２０は、下部アンテナカバー２１と、この下部アンテナカバー２１内に設けられる下部アンテナ本体３０により構成される。
【００２１】
下部アンテナカバー２１は、上記したように半円筒状の前面カバー２１ａ及び背面カバー２１ｂにより構成され、前面カバー２１ａには下部に底板２２ａが設けられ、上部に天井板２３ａが設けられる。底板２２ａには、背面カバー２１ｂに対向する側縁の中央部に半円状の結合穴２４ａが設けられ、この結合穴２４ａが基台１１上の支持筒１２に結合される。また、天井板２３ａには、背面カバー２１ｂに対向する側の中央部に半円状の結合軸２５ａが上方に突出して設けられる。この結合軸２５ａの外周面には、縦方向に位置する複数の突条２６ａが所定の間隔で設けられる。更に、天井板２３ａの上面には、例えば結合軸２５ａと並行して上部アンテナ４０の回転範囲を規制するストッパ２９ａが設けられる。
【００２２】
また、前面カバー２１ａには、両側部にそれぞれ複数例えば２個のネジ固定穴２７ａが設けられる。このネジ固定穴２７ａは、前面カバー２１ａを背面カバー２１ｂにネジ止めするためのものである。
【００２３】
一方、背面カバー２１ｂは、下部に底板２２ｂが設けられ、上部に天井板２３ｂが設けられる。底板２２ｂには、前面カバー２１ａに対向する側縁の中央部に半円状の結合穴２４ｂが設けられ、この結合穴２４ｂが基台１１上の支持筒１２に結合される。また、天井板２３ｂには、前面カバー２１ａに対向する側の中央部に半円状の結合軸２５ｂが上方に突出して設けられる。この結合軸２５ｂの外周面には、縦方向に位置する複数の突条２６ｂが所定の間隔で設けられる。
【００２４】
そして、底板２２ｂの上面には、上記結合穴２４ｂの両側に１対のガイド２８ａ、２８ｂが所定の間隔で平行して設けられる。また、天井板２３ｂの下面には、底板２２ｂのガイド２８ａ、２８ｂに対応する位置にガイド２８ｃ、２８ｄが設けられる。上記ガイド２８ａ〜２８ｄは、下部アンテナ本体３０を背面カバー２１ｂ内に収納する際に、後述する下部反射板３５及び下部放射素子３１の挿入をガイドすると共に、下部放射素子３１を所定位置に保持するためのもので、それぞれ２枚の側板を所定の間隔で設けてガイド溝を形成し、このガイド溝内に位置決め部材（図示せず）を設けている。
【００２５】
また、背面カバー２１ｂの開口部両側には、前面カバー２１ａのネジ固定穴２７ａと対向する位置にネジ穴２７ｂが設けられる。
【００２６】
そして、下部アンテナ本体３０は、下部放射素子３１と下部反射板３５により構成される。下部放射素子３１は、長方形の金属板を略四角形、例えばコの字状に折り曲げて形成したもので、前面の上辺及び下辺と平行にスリット３２ａ、３２ｂが設けられると共に、前面中央部において上記スリット３２ａ、３２ｂ間を結ぶスリット３２ｃが設けられる。上記水平方向に設けられたスリット３２ａ、３２ｂによって上辺及び下辺に折返し素子が形成される。また、下部放射素子３１の前面には、スリット３２ｃの中央両側に給電点３３ａ、３３ｂが設けられる。この給電点３３ａ、３３ｂには、内側より給電ケーブル３４（図３参照）が接続される。この給電ケーブル３４は、支持筒１２内を通って基台１１内に導かれる。
【００２７】
上記下部反射板３５は、略半円状に形成され、下部放射素子３１の背面に所定の間隔を保って設けられる。下部反射板３５の下側縁及び上側縁には、背面カバー２１ｂに設けられたガイド２８ａ〜２８ｄに対応する位置にガイド挿通用切欠き３６ａ〜３６ｄが設けられる。このガイド挿通用切欠き３６ａ〜３６ｄは、ガイド２８ａ〜２８ｄの前面側外形より少し大きく形成され、下部反射板３５を背面カバー２１ｂ内に収納する際にガイド挿通用切欠き３６ａ〜３６ｄ内をガイド２８ａ〜２８ｄが挿通するようにしている。また、下部反射板３５には、例えば中央部分の上下２箇所にネジ固定穴３７が設けられる。
【００２８】
上記背面カバー２１ｂ内には、上記下部反射板３５と共に下部アンテナ本体３０が収納される。このとき下部アンテナ本体３０のコの字型に折り曲げられた両側部の下側及び上側がガイド２８ａ〜２８ｄ内に挿入されて保持される。
【００２９】
また、上部アンテナ４０は、上部アンテナカバー４１と、この上部アンテナカバー４１内に設けられる上部アンテナ本体５０により構成される。
【００３０】
上部アンテナカバー４１は、半円筒状の前面カバー４１ａ及び背面カバー４１ｂにより構成される。前面カバー４１ａには、下部に底板４２ａが設けられ、上部に天井板４３ａが設けられる。底板４２ａには、下部アンテナ２０の前面カバー２１ａに設けられた結合軸２５ａの外側に位置するように半円状の結合軸４５ａが下方に突出して設けられる。この結合軸４５ａの内周面には、縦方向に位置する複数の突条４６ａが所定の間隔で設けられる。
【００３１】
また、前面カバー４１ａには、両側部に複数例えばそれぞれ２個のネジ固定穴４７ａが設けられる。このネジ固定穴４７ａは、前面カバー４１ａを背面カバー４１ｂにネジ止めするためのものである。
【００３２】
一方、背面カバー４１ｂは、下部に底板４２ｂが設けられ、上部に天井板４３ｂが設けられる。底板４２ｂには、下部アンテナ２０の背面カバー２１ｂに設けられた結合軸２５ｂの外側に位置するように半円状の結合軸４５ｂが下方に突出して設けられる。この結合軸４５ｂの内周面には、縦方向に位置する複数の突条４６ｂが所定の間隔で設けられる。
【００３３】
上記上部アンテナカバー４１は、前面カバー４１ａ及び背面カバー４１ｂの開口面を結合することにより円筒状となり、また、結合軸４５ａ、４５ｂも円筒状となる。この結合軸４５ａ、４５ｂに設けられた突条４６ａ、４６ｂは、下部アンテナ２０の結合軸２５ａ、２５ｂに設けられた突条２６ａ、２６ｂと対をなしており、アンテナの組立てを完了した際に突条２６ａ、２６ｂと突条４６ａ、４６ｂが結合してその位置を保持し、下部アンテナ２０に対して上部アンテナ４０に所定の回転力を加えることにより、突条２６ａ、２６ｂと突条４６ａ、４６ｂの結合力に抗して上部アンテナ４０が例えば約２０度の回転ピッチで順次回転するようになっている。
【００３４】
また、底板４２ｂの上面には、結合軸４５ｂの両側に１対のガイド４８ａ、４８ｂが所定の間隔で平行して設けられる。天井板４３ｂの下面には、底板４２ｂのガイド４８ａ、４８ｂに対応する位置にガイド４８ｃ、４８ｄが設けられる。上記ガイド４８ａ〜４８ｄは、上部アンテナ本体５０を背面カバー４１ｂ内に収納する際に、後述する上部反射板５５及び上部放射素子５１の挿入をガイドすると共に、上部放射素子５１を所定位置に保持するためのもので、それぞれ２枚の側板を所定の間隔で設けてガイド溝を形成し、このガイド溝内に位置決め部材（図示せず）を設けている。更に底板４２ｂの下面には、前面カバー２１ａの天井板２３ａに設けられたストッパ２９ａに対応する位置にストッパ２９ｂが設けられる。このストッパ２９ｂは、上部アンテナ４０を回転させた際に下部アンテナ側に設けたストッパ２９ａに当接して上部アンテナ４０の回転を規制する。上記ストッパ２９ａ、２９ｂは、下部アンテナ２０に対して上部アンテナ４０の回転を約３６０°の範囲に規制する。
【００３５】
また、背面カバー４１ｂの開口部両側には、前面カバー４１ａのネジ固定穴２７ａと対向する位置にネジ穴２７ｂが設けられる。
【００３６】
上部アンテナ本体５０は、下部アンテナ本体３０と同様に上部放射素子５１と上部反射板５５により構成される。上部放射素子５１は、長方形の金属板を略四角形、例えばコの字状に折り曲げて形成したもので、前面の上辺及び下辺と平行にスリット５２ａ、５２ｂが設けられると共に、前面中央部において上記スリット５２ａ、５２ｂ間を結ぶスリット５２ｃが設けられる。上記水平方向に設けられたスリット５２ａ、５２ｂによって上辺及び下辺に折返し素子が形成される。また、上部放射素子５１の前面には、スリット５２ｃの中央両側に給電点５３ａ、５３ｂが設けられる。この給電点５３ａ、５３ｂには、内側より給電ケーブル５４の上端が接続される。この給電ケーブル５４は、軸保持筒１６及び支持筒１２内を通って基台１１内に導かれる。
【００３７】
上記上部反射板５５は、略半円状に形成され、上部放射素子５１の背面に所定の間隔を保って設けられる。上部放射素子５１の下側縁及び上側縁には、背面カバー４１ｂに設けられたガイド４８ａ〜４８ｄに対応する位置にガイド挿通用切欠き５６ａ〜５６ｄが設けられる。このガイド挿通用切欠き５６ａ〜５６ｄは、ガイド４８ａ〜４８ｄの前面側外形より少し大きく形成され、上部反射板５５を背面カバー４１ｂ内に収納する際にガイド挿通用切欠き５６ａ〜５６ｄ内をガイド４８ａ〜４８ｄが挿通するようにしている。また、上部反射板５５には、例えば中央部分の上下２箇所にネジ固定穴５７が設けられる。
【００３８】
上記背面カバー４１ｂ内には、上記上部反射板５５と共に上部アンテナ本体５０が収納される。このとき上部アンテナ本体５０のコの字型に折り曲げられた両側部の下側及び上側がガイド４８ａ〜４８ｄ内に挿入されて保持される。
【００３９】
また、前面カバー２１ａと背面カバー２１ｂとを結合する際、下部アンテナカバー２１の上部に設けられた結合軸２５ａ、２５ｂの内側に軸保持筒１６が装着される。この軸保持筒１６には、上下両端部の外周縁に沿って所定幅のフランジ１７ａ、１７ｂが設けられる。
【００４０】
上記軸保持筒１６のフランジ１７ａ、１７ｂ間には、下部アンテナカバー２１の結合軸２５ａ、２５ｂと共に、上部アンテナカバー４１の結合軸４５ａ、４５ｂも位置し、結合軸２５ａ、２５ｂと結合軸４５ａ、４５ｂとが結合した状態で保持されるようになっている。
【００４１】
次に上記下部放射素子３１及び上部放射素子５１の寸法例について説明する。下部放射素子３１及び上部放射素子５１は同じ寸法であり、例えば図４に示すように設定される。
【００４２】
下部放射素子３１及び上部放射素子５１は、高さＨが約０．２７λａ、前面の横幅Ｌ１が約０．１６λａ、側面の横幅Ｌ２が約０．１λａに設定される。λａは、使用周波数帯域における下端周波数の波長である。スリット３２ａ〜３２ｃの幅ｄは、約０．０１λａに設定される。また、下部放射素子３１と上部放射素子５１との中心間隔Ｗは、約０．３５λａに設定される。
【００４３】
上記のように構成された指向性可変アンテナを組立てる際は、先ず、下部アンテナ２０の背面カバー２１ｂ内に下部反射板３５を収納する。このとき下部反射板３５の上下両側縁に設けたガイド挿通用切欠き３６ａ〜３６ｄを背面カバー２１ｂのガイド２８ａ〜２８ｄに沿って移動させ、下部反射板３５を背面カバー２１ｂ内の内側に当接させてネジ止めにより固定する。
【００４４】
次いで、下部放射素子３１の背面側左右両側の上下両端部を背面カバー２１ｂのガイド２８ａ〜２８ｄ内に挿入して移動し、ガイド２８ａ〜２８ｄ内に設けられた位置決めによって位置を規制し、下部放射素子３１を背面カバー２１ｂ内に収納する。この状態で、前面カバー２１ａの底板２２ａに設けた結合穴２４ａ、及び背面カバー２１ｂの底板２２ｂに設けた結合穴２４ｂを基台１１上の支持筒１２に結合させると共に、上部の結合軸２５ａ、２５ｂ間に軸保持筒１６を介在して前面カバー２１ａのネジ固定穴２７ａにネジ（図示せず）を挿入し、該ネジを背面カバー２１ｂのネジ穴２７ｂに螺合し、締め付けて前面カバー２１ａと背面カバー２１ｂとを固定する。
【００４５】
上記前面カバー２１ａと背面カバー２１ｂとをネジ止めすることにより、下部アンテナカバー２１に設けた結合穴２４ａ、２４ｂが基台１１上の支持筒１２に圧接して前面カバー２１ａ及び背面カバー２１ｂが支持筒１２に固定される。この場合、支持筒１２の外周面に結合溝を設け、この結合溝部分に下部アンテナカバー２１の結合穴２４ａ、２４ｂを結合させて固定するようにしてもよい。
【００４６】
また、上記前面カバー２１ａと背面カバー２１ｂとをネジ止めにより固定する際、下部反射板３５の前面が前面カバー２１ａに圧接され、背面カバー２１ｂのガイド２８ａ〜２８ｄ内に設けられた位置決め部材と前面カバー２１ａとの間で下部放射素子３１が固定される。
【００４７】
次に、上部アンテナ４０の背面カバー４１ｂ内に上部反射板５５を収納する。このとき上部反射板５５の上下両側縁に設けたガイド挿通用切欠き５６ａ〜５６ｄを背面カバー４１ｂのガイド４８ａ〜４８ｄに沿って移動させ、上部反射板５５を背面カバー４１ｂの内側に当接させてネジ止めにより固定する。
【００４８】
次いで、上部放射素子５１の背面側左右両側の上下両端部を背面カバー４１ｂ設けたガイド４８ａ〜４８ｄに沿って挿入し、上部放射素子５１を背面カバー４１ｂ内に収納する。このときガイド４８ａ〜４８ｄ内に設けられた位置決め部材によって上部放射素子５１の収納位置を規制する。
【００４９】
この状態で、上部アンテナカバー４１の下側に設けた結合軸４５ａ、４５ｂを下部アンテナカバー２１の結合軸２５ａ、２５ｂの外側に結合させ、前面カバー４１ａと背面カバー４１ｂとをネジ止めして固定する。このとき上部放射素子５１は、下部放射素子３１の場合と同様に、背面カバー４１ｂのガイド４８ａ〜４８ｄ内に設けられた位置決め部材と前面カバー４１ａとの間で固定される。
【００５０】
上記組立て完了後においては、下部アンテナ２０の結合軸２５ａ、２５ｂに設けられた突条２６ａ、２６ｂと上部アンテナ４０の結合軸４５ａ、４５ｂに設けた突条４６ａ、４６ｂが結合してその位置を保持している。この状態で、下部アンテナ２０に対して上部アンテナ４０に所定の回転力を加えると、結合軸２５ａ、２５ｂの突条２６ａ、２６ｂと結合軸４５ａ、４５ｂの突条４６ａ、４６ｂの結合力に抗して上部アンテナ４０が所定角度回転する。上部アンテナ４０を回転させた際、上部アンテナ４０側に設けたストッパ２９ｂが下部アンテナ２０側に設けたストッパ２９ａに当接すると、それ以上は回転しない。上部アンテナ４０は、下部アンテナ２０に対して時計方向及び反時計方向に回転することが可能であり、上記ストッパ２９ａ、２９ｂによって規制される約３６０°の範囲で任意に回転することができる。
【００５１】
上記のように下部アンテナ２０と上部アンテナ４０との位置関係を調整することにより、指向性を任意に可変設定することが可能である。
【００５２】
図５は、下部アンテナ２０と上部アンテナ４０を同一方向に向けた場合の指向性を示したものである。このときの指向性は、正面方向に対して大きな利得を有する単指向性となる。
【００５３】
図６は、上部アンテナ４０を下部アンテナ２０に対して反時計方向に９０°回転させたときの指向性を示したものである。このときの指向性は、下部アンテナ２０と上部アンテナ４０との間、すなわち下部アンテナ２０の正面方向に対して４５°の方向に指向性を有する単指向性となるが、同一方向に向けた図５の場合より緩やかな指向性となる。
【００５４】
図７は、上部アンテナ４０を下部アンテナ２０に対して１８０°回転させたときの指向性を示したものである。このときの指向性は、略無指向性となる。
【００５５】
上記のように下部アンテナ２０と上部アンテナ４０との相対位置を調整することにより、合成指向性を簡単に可変設定することができる。
【００５６】
このため地上放送波を受信する場合において、複数の放送塔が受信点から見て異なる方向にある場合、各放送塔の方向に指向性を合わせることにより、複数方向から到来する放送波を１つのアンテナで同時に受信することができる。従って、複数のアンテナを設置する必要が無く、狭い場所であってもアンテナを容易に設置でき、設置費用を安価にすることができる。
【００５７】
また、放送波の方向が１方向であれば、下部アンテナ２０と上部アンテナ４０を同じ方向に設定することにより、高利得アンテナとして利用することができ、他の方向からの不要な電波の受信を少なくして信号品質を向上することができる。
【００５８】
なお、上記実施形態では、室内アンテナに実施した場合について説明したが、基台１１を外部取付金具に交換することにより、外部アンテナとして使用することができる。
【００５９】
また、本発明は、上記実施形態そのままに限定されるものではなく、実施段階ではその要旨を逸脱しない範囲で構成要素を変形して具体化できるものである。
【図面の簡単な説明】
【００６０】
【図１】本発明の一実施形態に係る指向性可変アンテナを室内アンテナに実施した場合の外観構成を示したもので、（ａ）は正面図、（ｂ）は側面図、（ｃ）は上面図である。
【図２】同実施形態に係る指向性可変アンテナを前面側の斜め上方から見た分解斜視図である。
【図３】同実施形態に係る指向性可変アンテナを背面側の斜め下方から見た分解斜視図である。
【図４】同実施形態における下部放射素子及び上部放射素子部分の詳細な構成例を示す斜視図である。
【図５】同実施形態において、下部アンテナと上部アンテナを同一方向に向けた場合の指向性を示す図である。
【図６】同実施形態において、上部アンテナを下部アンテナに対して反時計方向に９０°回転させたときの指向性を示す図である。
【図７】同実施形態において、上部アンテナを下部アンテナに対して１８０°回転させたときの指向性を示す図である。
【図８】受信点から見て異なる方向に２つの放送塔がある場合における従来アンテナの設置例を示す図である。
【符号の説明】
【００６１】
１１…基台、１２…支持筒、１３…給電ケーブル、１４…出力用接栓、１６…軸保持筒、１７ａ、１７ｂ…フランジ、２０…下部アンテナ、２１…下部アンテナカバー、２１ａ…前面カバー、２１ｂ…背面カバー、２２ａ…底板、２２ｂ…底板、２３ａ…天井板、２３ｂ…天井板、２４ａ…結合穴、２４ｂ…結合穴、２４ａ、２４ｂ…結合穴、２５ａ、２５ｂ…結合軸、２６ａ、２６ｂ…突条、２７ａ…ネジ固定穴、２７ｂ…ネジ穴、２８ａ〜２８ｄ…ガイド、２９ａ、２９ｂ…ストッパ、３０…下部アンテナ本体、３１…下部放射素子、３２ａ〜３２ｃ…スリット、３３ａ、３３ｂ…給電点、３４…給電ケーブル、３５…下部反射板、３６ａ〜３６ｄ…ガイド挿通用切欠き、３７…ネジ固定穴、４０…上部アンテナ、４１…上部アンテナカバー、４１ａ…前面カバー、４１ｂ…背面カバー、４２ａ、４２ｂ…底板、４３ａ、４３ｂ…天井板、４５ａ、４５ｂ…結合軸、４６ａ、４６ｂ…突条、４７ａ…ネジ固定穴、４７ｂ…ネジ穴、４８ａ〜４８ｄ…ガイド、５０…上部アンテナ本体、５１…上部放射素子、５２ａ〜５２ｃ…スリット、５３ａ、５３ｂ…給電点、５４…給電ケーブル、５５…上部反射板、５６ａ〜５６ｄ…ガイド挿通用切欠き、５７…ネジ固定穴。
【図１】
2010057035.tif 000003
【図２】
2010057035.tif 000004
【図３】
2010057035.tif 000005
【図４】
2010057035.tif 000006
【図５】
2010057035.tif 000007
【図６】
2010057035.tif 000008
【図７】
2010057035.tif 000009
【図８】
2010057035.tif 000010